(57)【要約】【課題】扉面材にガラス等の重量物を用いた冷蔵庫の転倒防止を図ることができる冷蔵庫を提供する。【解決手段】複数の貯蔵室を有する断熱箱体７２と、前記貯蔵室の前面開口部を塞ぐガラス面材を有する扉１１、１２、１３、１４、１５と、断熱箱体７２の底面を構成する底面板体７１と、断熱箱体７２の下部後方機械室２２と、下部後方機械室２２で断熱箱体７２の左右側板４７を連結する連結梁６５と、を備えた冷蔵庫において、連結梁６５の板厚は底面板体７１の板厚より大きくしたことにより、冷蔵庫本体下部後方の重量を大きくし、断熱箱体全体の重心を本体中心に近づけることで、冷蔵庫の転倒に対する不安定性を軽減することで、より転倒を防止することができる。【選択図】図６
2018084344.tif 000002
【特許請求の範囲】
【請求項１】
複数の貯蔵室を有する断熱箱体と、前記貯蔵室の前面開口部を塞ぐガラス面材を有する扉と、前記断熱箱体の底面を構成する底面板体と、前記断熱箱体の下部後方機械室と、前記下部後方機械室で前記断熱箱体の左右側板を連結する連結梁と、を備えた冷蔵庫において、前記連結梁の板厚は前記底面板体の板厚より大きくした冷蔵庫。
【請求項２】
複数の貯蔵室を有する断熱箱体と、前記貯蔵室の前面開口部を塞ぐガラス面材を有する扉と、前記断熱箱体の底面を構成する底面板体と、前記断熱箱体の下部後方機械室と、前記下部後方機械室で前記断熱箱体の左右側板の下部に設けられた補強梁と、を備えた冷蔵庫において、前記補強梁の板厚は前記底面板体の板厚より大きくした冷蔵庫。
【請求項３】
前記冷蔵庫の天面後方に凹部を有し、前記凹部内に圧縮機を備えた請求項１または２記載の冷蔵庫。
【発明の詳細な説明】
【技術分野】
【０００１】
本発明は、扉面材にガラスを用いた冷蔵庫の転倒防止に関するものである。
【背景技術】
【０００２】
近年、冷蔵庫は、地球環境保護の観点から更なる省エネルギー化が進むと共に、その使い勝手や収納性、デザイン性の向上が求められ、扉面材にガラス等が使われている。（例えば、特許文献１参照）
以下、図面を参照しながら、上記従来の冷蔵庫について説明する。
【０００３】
図８、９は、上記特許文献１記載の冷蔵庫の構成を示し、１００は冷蔵庫本体、１０１、１０２、１０３、１０４、１０５扉であり、扉は内フレーム１０６、縁枠１０７、両面テープ１０８、ガラス板１０９で構成されており、質感とスッキリ感のある高い意匠性を実現している。
【先行技術文献】
【特許文献】
【０００４】
【特許文献１】特開２０１４−５５７６８号公報
【発明の概要】
【発明が解決しようとする課題】
【０００５】
しかしながら、上記従来の冷蔵庫では、扉面材のガラスは重量が大きく、重心が前方に偏っており、冷蔵庫が前方に傾きやすくなり、場合によっては転倒する可能性もあるという課題を有していた。
【０００６】
床に対して通常４点支持されている冷蔵庫は、各指示点から重力方向に伸ばした４本の垂線の外側に重心が位置すれば転倒の可能性が生じる。
【０００７】
このように、重心位置が本体投影面で冷蔵庫中心から遠ざかるほど冷蔵庫の設置傾きや外力による冷蔵庫傾斜に対して、少ない傾斜角度で転倒する可能性がある。
【０００８】
本発明は上記従来の課題を解決するものであり、扉面材にガラスなどの重量物を使用した場合でも冷蔵庫本体の不安定性を低減し、さらなる転倒防止を図る冷蔵庫を提供することを目的とする。
【課題を解決するための手段】
【０００９】
上記従来の課題を解決するために、本発明の冷蔵庫は、複数の貯蔵室を有する断熱箱体と、前記貯蔵室の前面開口部を塞ぐガラス面材を有する扉と、前記断熱箱体の底面を構成する底面板体と、前記断熱箱体の下部後方機械室と、前記下部後方機械室で前記断熱箱体の左右側板を連結する連結梁と、を備えた冷蔵庫において、前記連結梁の板厚は前記底面板体の板厚より大きくしたものである。
【００１０】
これによって断熱箱体の重心位置を中心に近づけ、冷蔵庫の転倒に対する不安定性を軽減することができる。
【発明の効果】
【００１１】
本発明は、上記構成によって、重心位置が前方に偏った冷蔵庫においても、重心位置を中心に近づけ、転倒防止を図ることができ、安全性を高めた冷蔵庫を提供することができ
る。
【図面の簡単な説明】
【００１２】
【図１】本発明の実施の形態１における冷蔵庫の斜視図
【図２】同冷蔵庫を背面側から見た斜視図
【図３】同冷蔵庫の縦断面図
【図４】同冷蔵庫の冷凍サイクル図
【図５】同冷蔵庫の下部後方機械室部分を下方から見て示す斜視図
【図６】同冷蔵庫の下部後方機械室部分を本体内部側から見て示す斜視図
【図７】同冷蔵庫の下部後方機械室のローラ部分を示す拡大平面図
【図８】従来の冷蔵庫の外観斜視図
【図９】従来の冷蔵庫の扉の分解斜視図
【発明を実施するための形態】
【００１３】
第１の発明は、複数の貯蔵室を有する断熱箱体と、前記貯蔵室の前面開口部を塞ぐガラス面材を有する扉と、前記断熱箱体の底面を構成する底面板体と、前記断熱箱体の下部後方機械室と、前記下部後方機械室で前記断熱箱体の左右側板を連結する連結梁と、を備えた冷蔵庫において、前記連結梁の板厚は前記底面板体の板厚より大きくしたものである。
【００１４】
これにより、冷蔵庫本体下部後方の重量を大きくし、断熱箱体全体の重心を本体中心に近づけることで、冷蔵庫の転倒に対する不安定性を軽減することで、さらなる転倒防止ができる。
【００１５】
第２の発明は、複数の貯蔵室を有する断熱箱体と、前記貯蔵室の前面開口部を塞ぐガラス面材を有する扉と、前記断熱箱体の底面を構成する底面板体と、前記断熱箱体の下部後方機械室と、前記下部後方機械室で前記断熱箱体の左右側板の下部に設けられた補強梁と、を備えた冷蔵庫において、前記補強梁の板厚は前記底面板体の板厚より大きくしたものである。
【００１６】
これにより、冷蔵庫本体下部の重量を大きくし、断熱箱体全体の重心を中心に近づけることで、冷蔵庫の転倒に対する不安定性を軽減することで、さらなる転倒防止ができる。
【００１７】
第３の発明は、第１または第２の発明において、前記冷蔵庫の天面後方に凹部を有し、前記凹部内に圧縮機を備えたものである。
【００１８】
これにより、冷蔵庫の天面後方に圧縮機を配置し、冷蔵庫の重心が高くなる冷蔵庫においても、転倒防止の安全性を高めることができる。
【００１９】
以下、本発明の実施の形態について、図面を参照しながら説明する。なお、この実施の形態によってこの発明が限定されるものではない。
【００２０】
（実施の形態１）
図１〜図４は冷蔵庫の全体及び各部構成を説明する図、図５〜図７は冷蔵庫本体の下部構成を説明する図である。
【００２１】
（１．冷蔵庫の全体構成）
まず図１〜図４を用いて冷蔵庫の全体構成を説明する。
【００２２】
図１〜図４において、冷蔵庫本体１は、図３に示すように前方に開口する金属製（例えば鉄板）の外箱２と、硬質樹脂製（例えばＡＢＳ）の内箱３と、これら外箱２と内箱３と
の間に充填した硬質ウレタン等の発泡断熱材４とからなる。そして、前記冷蔵庫本体１はその外箱２と内箱３との間の側面、背面、天井面には真空断熱材５２、５３が設置してある。
【００２３】
上記冷蔵庫本体１はその内部に複数の貯蔵室、例えば、冷蔵室６と、冷蔵室６の下に位置する切替室７及び切替室７の横に並設した製氷室８と、切替室７及び製氷室８の下部に位置する冷凍室９と、冷凍室９の下部に位置する野菜室１０とを有し、扉１１，１２，１３，１４、１５によって開閉自在としてある。
【００２４】
また、前記冷蔵庫本体１には冷却室１６が設けてあり、冷気を生成する冷却器１７と、冷気を各室に供給する冷気循環ファン１８とが設けてある。そして、上記冷却器１７の下方にはヒータ等の除霜手段１９が設けてある。
【００２５】
また、前記冷蔵庫本体１内には冷蔵室６、冷凍室９、野菜室１０等に冷気を供給するダクト２０が設けてあり、冷凍室９或いは冷蔵室６等に設けた温度検知センサー（図示せず）からの出力に基づきダンパ等（図示せず）を開閉して各室を所定温度に冷却するようになっている。
【００２６】
更に、上記冷蔵庫本体１の天井部後方には凹部としての上機械室２１、下部には下部後方機械室２２が設けてある。上機械室２１には圧縮機２３が設置してあり、図４に示すように、圧縮機２３、コンデンサ２４、放熱用の放熱パイプ２５、キャピラリーチューブ２６、前記した冷却器１７を順次環状に接続して冷凍サイクルを構成し、この冷凍サイクルに冷媒を封入して冷却運転を行うように構成してある。
【００２７】
なお、本実施の形態では、天井部後方の凹部は上機械室２１として内部に圧縮機、コンデンサ等を配置するもので一例として説明するが、これに限定されるものではなく、天井部の後方に設けた凹部を備えたものであれば適用することができる。
【００２８】
この実施の形態では、上記放熱パイプ２５の一部は三方弁２７を介して冷蔵庫本体１の前面開口端に引き回した結露防止用放熱パイプ２５ａと背面及び側面等に設けたバイパス放熱パイプ２５ｂとに分岐し、そのそれぞれをストレーナ２８ａ、２８ｂ（２８ａは乾燥機能を備えたドライヤー）とキャピラリーチューブ２６ａ、２６ｂを介して合流させたのち冷却器１７に接続してあり、冷蔵庫本体１適所に設けた外気温センサと外気湿度センサからの出力に基づき冷媒の流れを切り替えるようにしてある。
【００２９】
具体的には、通常は、結露防止用放熱パイプ２５ａ側に冷媒を流しているが、外気温センサと外気湿度センサからの出力に基づき冷蔵庫本体１の前面開口部に結露が発生しにくい環境条件と判断すればバイパス放熱パイプ２５ｂ側に冷媒を流し、前面開口部からの庫内への吸熱量を低減し、省エネを図っている。
【００３０】
上記結露防止用放熱パイプ２５ａ側のキャピラリーチューブ２６ａとバイパス放熱パイプ２５ｂ側のキャピラリーチューブ２６ｂの抵抗値（減圧量）は、それぞれ単独で構成される冷却システム設計の最適化から設定される。本実施の形態では、結露防止用放熱パイプ２５ａ側のキャピラリーチューブ２６ａより、バイパス放熱パイプ２５ｂ側のキャピラリーチューブ２６ｂの抵抗値を若干大きく設定している。
【００３１】
なお、冷蔵室６または冷凍室９の温度と設定温度との乖離率が大きい時には三方弁２７の両側を開放して結露防止用放熱パイプ２５ａ側のキャピラリーチューブ２６ａとバイパス放熱パイプ２５ｂ側のキャピラリーチューブ２６ｂの両側に冷媒を流し、冷媒循環量を増やして冷却能力を高めてもよい。
【００３２】
（２．冷蔵庫本体の下部構成）
次に、図５〜図７を用いて冷蔵庫本体の下部構成について説明する。
【００３３】
ローラ３３は冷蔵庫本体１の投影面積内であって冷蔵庫本体１後部の両側部に位置する如く軸支して設けてある。
【００３４】
冷蔵庫本体１は、図５、図６に示すように、断熱箱体７２の底面は底面板体７１を備え、左右両側の側板４７後部を下部後方機械室壁体と金属製（例えば鉄板）の連結梁６５とによって連結するとともに、前記側板４７の下端は補強部材となる補強梁６６を装着して補強し、この連結梁６５と補強梁６６をビス止め連結して剛性を高めてある。
【００３５】
ここで、連結梁６５の板厚は底面板体７１の板厚より大きくしている。すなわち、下部後方機械室の底面に配置される連結梁６５は金属で構成され、連結梁６５の板厚を金属で構成される底面板体７１の板厚より大きくすることにより、連結梁６５自身が重石の役目も兼ねているものである。
【００３６】
同様に、補強梁６６の板厚は底面板体７１の板厚より大きくしている。すなわち、断熱箱体７２の左右の側板４７の下部に設けられた補強梁６６は金属で構成され、補強梁６６の板厚を底面板体７１の板厚より大きくすることにより、補強梁６６自身が重石の役目も兼ねているものである。
【００３７】
上記連結梁６５の補強梁内縁側部分には開口６７が形成してあり、この開口６７にローラ支持部材６８をビス止め固定してローラ３３を軸支してある。これによりローラ３３は冷蔵庫本体１の投影面積内に位置する如く軸支して設けた形となる。
【００３８】
ここで、図７に示すように、上記補強梁６６の内側端縁を基準線Ｘとすると、この基準線Ｘとローラ３３の側面との距離Ｙは本体重量に対する支持強度の面から狭いほど良いが、少なくともローラ３３の幅寸法Ｌの１／２より小さく設定しておくのが好ましく、この例では補強梁６６の内側端縁に若干切欠きを設けて前記補強梁６６の内側端縁の基準線Ｘとローラ３３の側面との距離Ｙがゼロ近くなるようにしてある。
【００３９】
また、前記ローラ支持部材６８は連結梁６５の下面（裏面）側からビス止めする構成としてあり、その上部投影面上には発泡断熱材４を充填した冷蔵庫本体１の壁体が位置するように構成してある。
【００４０】
以上のように構成した冷蔵庫について、以下、その動作と作用効果を説明する。
【００４１】
まず冷蔵庫の冷却について簡単に説明する。冷蔵庫は、外気からの侵入熱や扉開閉などにより冷凍室９等の温度が設定温度より高くなると、圧縮機２３と冷気循環ファン１８を駆動し、冷却器１７で生成した冷気を、冷気循環ファン１８の下流側に供給する。
【００４２】
冷気循環ファン１８の下流側に供給された冷気は、ダクト２０を介して冷蔵室６、野菜室１０、冷凍室９等の各貯蔵室に供給され、各室を冷却する。そして、前記各室への冷気供給はダンパによって制御し、それぞれを設定温度に冷却する。
【００４３】
ここで、本実施の形態の冷蔵庫本体１は、その背面板３４を面取り部のない平板状として、本体背面部分の真空断熱材５２の貼付け面積を背面板３４の横幅ほぼ一杯までの広いものとしてあるから、冷蔵庫本体背面の断熱性は面取り部を設けた従来のものに比べ強力なものとなっている。
【００４４】
従って、冷蔵庫本体１内の各室の冷却効果は高いものとなり、各室への外気からの熱侵入を効果的に抑制し省エネ性を高めることができる。
【００４５】
また、上記の如く真空断熱材５２を背面板３４の横幅ほぼ一杯までの広いものとしたことにより本体背面部分の壁厚も薄いものとすることができるから、冷蔵庫本体１の庫内容積、すなわち、冷蔵室６、野菜室１０、冷凍室９等の各貯蔵室の容積を増大させることができる。
【００４６】
特に、本実施の形態のように圧縮機２３等を設ける機械室を冷蔵庫本体１の天井部後方に設けた冷蔵庫にあっては、本体下部の貯蔵室となる野菜室１０の容積は圧縮機２３等を設ける機械室を冷蔵庫本体１の天井部後方に設けたことによる容積増大効果と相まってその容積増大効果が大きく、その収納量を大きく向上させることができる。
【００４７】
また、本実施の形態の冷蔵庫は、図７に示すように、冷蔵庫本体１移動用のローラ３３を前記冷蔵庫本体１の下部後方機械室２２の両側部に設けてあるが、このローラ３３は冷蔵庫本体１の側板４７を連結する連結梁６５と前記側板４７の下端に装着した補強梁６６とを連結した部分に設けてあるから、冷蔵庫本体１の背面板３４を面取り部のない平板状のものとしていても冷蔵庫本体１の投影面積内位置させることができる。したがって、冷蔵庫本体１の本体設置スペースを現状通りとすることができる。
【００４８】
また、上記ローラ３３を設けた部分は連結梁６５と補強梁６６とが結合していて強度が高く、かつ、強度メンバーとなっている補強梁６６がローラ３３に近接してローラ３３に掛かる本体重量を支える形となるので、本体重量を受けて変形等することもなく、良好な移動性能を保持することができる。
【００４９】
特に強度に関しては補強部材となる補強梁６６の幅を大きくし補強梁６６に開口６７を設けてローラ３３を支持する構成とするのが好ましいが、この場合、補強梁６６の全長に亘って幅が大きくなることにより材料費がかさみコストアップする。又、補強梁６６のローラ３３支持部分だけその幅を大きくすることも考えられるが、この場合この幅を大きくした内縁側端部が遊端となって当該内縁側端部に掛かる本体重量を片持ちのような形で支持するようになるので変形の恐れが生じる。
【００５０】
しかしながら、本実施の形態では補強梁６６に連結梁６５を結合することによってローラ支持部分の強度を向上させており、しかも、ローラ３３を補強梁６６の内縁側に近接配置することにより片持ちのような形での支持要素を少なくしているので、十分な強度が確保でき、良好な移動性能を保持することができる。
【００５１】
つまり、ローラ支持強度を確保して本体変形を防止し良好な移動性能を保持しつつ本体投影面積内にローラ３３を配置して本体設置スペースを現状通りとすることができる。
【００５２】
また、上記補強梁６６の内側端縁の基準線Ｘとローラ３３の側面と距離Ｙはローラ３３の幅寸法Ｌの１／２より小さくしてあるから、補強梁６６にローラ３３を介して掛かる本体重量の片持ち支持的な重量を低減することができる。したがって、ローラ支持部の変形を長期間に亘ってより確実に防止することができる。
【００５３】
また、上記ローラ支持部材６８は連結梁６５の下面側に取付けてあり、連結梁６５や補強梁６６の上部に位置する冷蔵庫本体１に邪魔されることなく取り付けることができ、作業性が向上する。
【００５４】
また、前記ローラ支持部材６８の上部投影面積内には発泡断熱材４を充填した冷蔵庫本体１の壁体が位置する形となり、連結梁６５と補強梁６６の結合に加え冷蔵庫本体１の発泡断熱材４を充填した壁体による強度アップ作用が加わる。したがって、ローラ支持部分の強度は格段に向上し、長期間に亘ってローラ支持部の変形を確実に防止することができる。しかも、冷蔵庫本体１内の下部貯蔵室である野菜室１０の奥行き寸法も大きくすることができ、野菜室１０の大容量化を実現することができる。
【００５５】
また、連結梁６５の板厚は底面板体７１の板厚より大きくしている。すなわち、下部後方機械室の底面に配置される連結梁６５は金属で構成され、連結梁６５の板厚を底面板体７１の板厚より大きくすることにより、連結梁６５自身が重石の役目も果たすことにより、冷蔵庫本体１とガラス面材を有する扉１１、１２、１３、１４、１５とから形成される断熱箱体７２の重心位置を後方に移動でき重心位置適正化が可能となり、別部材を用いることなく簡素な構造で、不安定性を軽減し、転倒防止を図ることができる。
【００５６】
同様に、補強梁６６の板厚は底面板体７１の板厚より大きくしている。すなわち、断熱箱体７２の左右の側板４７の下部に設けられた補強梁６６は金属で構成され、補強梁６６の板厚を底面板体７１の板厚より大きくすることにより、補強梁６６自身が重石の役目も果たすことにより、冷蔵庫本体１とガラス面材を有する扉１１、１２、１３、１４、１５とから形成される断熱箱体７２の重心位置を後方に移動でき重心位置適正化が可能となり、別部材を用いることなく簡素な構造で、不安定性を軽減し、転倒防止を図ることができる。
【００５７】
特に、本実施の形態の冷蔵庫のように、冷蔵庫の天面後方に凹部を有し、凹部内に圧縮機を備えたことで重心が高くなる冷蔵庫に上記構成を適用することで、不安定性を軽減し、より転倒防止の作用効果を図ることができる。
【００５８】
以上、本発明に係る冷蔵庫について、上記実施の形態により種々説明してきたが、本発明は、これに限定されるものではなく、本発明の目的を達成する範囲内で種々変更可能であることは言うまでもない。すなわち、今回開示した実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【００５９】
以上のように本発明は、本体の重心が高い、または重心が偏っている箱体の転倒防止を図ることができる。よって、家庭用冷蔵庫をはじめとして業務用冷蔵庫、自動販売機など他の冷凍冷蔵応用商品や、衣装ダンスや資料ラックといった冷凍冷蔵応用商品以外の商品にも広く適用できる。
【符号の説明】
【００６０】
１  冷蔵庫本体
２  外箱
３  内箱
３ａ  機械室形成用段部
３ｂ  後方端コーナ部
４  発泡断熱材
６  冷蔵室
７  切替室
８  製氷室
９  冷凍室
１０  野菜室
１１、１２、１３、１４、１５  扉
１６  冷却室
１７  冷却器
１８  冷気循環ファン
１９  除霜手段
２０  ダクト
２１  上機械室（凹部）
２２  下部後方機械室
２３  圧縮機
２４  コンデンサ
２５  放熱パイプ
２５ａ  結露防止用放熱パイプ
２５ｂ  バイパス放熱パイプ
２６  キャピラリーチューブ
２６ａ、２６ｂ  キャピラリーチューブ
２７  三方弁
２８ａ、２８ｂ  ストレーナ
３３  ローラ
３４  背面板
４７  側板
５２、５３  真空断熱材
６５  連結梁
６６  補強梁
６７  開口
６８  ローラ支持部材
６９  蓋部材
７０  発泡断熱材注入パイプ
７１  底面板体
７２  断熱箱体
【図１】
2018084344.tif 000003
【図２】
2018084344.tif 000004
【図３】
2018084344.tif 000005
【図４】
2018084344.tif 000006
【図５】
2018084344.tif 000007
【図６】
2018084344.tif 000008
【図７】
2018084344.tif 000009
【図８】
2018084344.tif 000010
【図９】
2018084344.tif 000011